(57)【要約】【課題】  クレジットカード、キャッシュカード等の普及に伴い紛失、盗難、スキミング等の偽造カードの不正使用による詐欺被害が増大している。偽造カードにおいては、磁気データ情報を読み取り複製する装置が高精度化しており、偽造であることを発見することが困難である。【解決手段】クレジットカード、キャッシュカード等を利用した際、クレジットカード会社又は、銀行等の金融機関からカードの所有者に対し、その利用内容を利用と同時に携帯電話等へメール送信する。受信したカードの所有者は、メールの内容を確認することで不正使用による詐欺被害を未然に防止することができる。【選択図】図１
2005339487.tif 000002
【特許請求の範囲】
【請求項１】
クレジットカードにての物品購入、キャッシング等のため使用して、クレジットカード会社がそのカードの使用の可否、利用限度額等の照会又は、契約販売店からの売上登録着信と同時に、予めクレジットカード会社又は管理センターにメール自動送信通知の希望を登録してあるそのクレジットカードの所有者の携帯電話のメール又はパソコンのメールへ、その利用内容を同時にメール送信し、受信した本人が自己管理ができる、クレジットカード及びキャッシュカードの自己管理のためのメール自動送信通知システム。
【請求項２】
クレジットカードにての物品購入、キャッシング等のため使用して、クレジットカード会社がそのカードの使用の可否、利用限度額等の照会又は、契約販売店からの売上登録着信と同時に、予めクレジットカード会社又は管理センターにメール自動送信通知の希望を登録してあるそのクレジットカードの所有者の携帯電話のメール又はパソコンのメールへ、その利用内容を同時にメール送信し、受信したクレジットカードの所有者がその利用内容の意思を確認し、利用の良否をクレジットカード会社又は管理センターにメール返信してその取引を成立させることにより、自己管理ができ不正使用の防止ができる、クレジットカード及びキャッシュカードの自己管理のためのメール自動送信通知システム。
【請求項３】
銀行預金等の引出し又は振込みをするには、ＡＴＭ機又は銀行等の金融機関の窓口にてキャッシュカード又は預金通帳を使用します。預金者が預金の引出し又は振込みの手続きをし、銀行等の金融機関が残高確認等の照会及び支払い又は振込みの手続きをすると同時に、予め銀行等の金融機関又は管理センターにメール自動送信通知の希望を登録してある預金者に対し、その利用状況を携帯電話のメール又はパソコンのメールへ同時にメール送信する、クレジットカード及びキャッシュカードの自己管理のためのメール自動送信通知システム。
【請求項４】
銀行預金等の引出し又は振込みをするには、ＡＴＭ機又は銀行等の金融機関の窓口にてキャッシュカード又は預金通帳を使用します。預金者が預金の引出し又は振込みの手続きをし、銀行等の金融機関が残高確認等の照会及び支払い又は振込みの手続きをすると同時に、予め銀行等の金融機関又は管理センターにメール自動送信通知の希望を登録してある預金者に対し、その利用内容を携帯電話のメール又はパソコンのメールへ同時にメール送信し、受信した預金者が自分が承知した預金引出し又は振込みかを確認し、その良否を銀行等の金融機関又は管理センターへメール返信して、その取引を成立させることにより、不正使用の防止ができる、クレジットカード及びキャッシュカードの自己管理のためのメール自動送信通知システム。
【発明の詳細な説明】
【技術分野】
【０００１】  本発明は、クレジットカード及びキャッシュカード等の使用時に、カードの所有者の携帯電話のメール又はパソコンのメールへメール自動送信通知をカード使用と同時に行い、受信したカード所有者が利用内容を知ることで自己管理ができ、自分が使用したものが、盗難、紛失、偽造等による不正使用かが判別できる、クレジットカード及びキャッシュカードの自己管理のためのメール自動送信通知システムに関するものである。【０００２】  クレジットカード及びキャッシュカード等の使用時に、カードの所有者の携帯電話のメール又はパソコンのメールへメール自動送信通知をカード使用と同時に行い、受信したカード所有者が利用内容を確認し、その利用の良否をクレジットカード会社又は、銀行等の金融機関にメール返信することで、その取引を成立させることにより、自己管理ができ、盗難、紛失、偽造等による不正使用を防止できる、クレジットカード及びキャッシュカードの自己管理のためのメール自動送信通知システムに関するものである。
【背景技術】
【０００３】  現在、紛失及び盗難クレジットカードや偽造クレジットカードの不正使用を発見する手段として、通称スナイパーと称する人がクレジットカードの利用状況をコンピューターの画面上で監視し、不自然な買物等をしているものを発見した場合、その契約販売店に連絡をして本人確認を要請するのである。【０００４】  現状では利用限度額等の有無、紛失、盗難等の届け出でのあるカード等はコンピューター処理によって瞬時に回答が出るが、届け出でのない紛失、盗難のカード及び偽造カード等においては判別が非常に困難である。
【発明の開示】
【発明が解決しようとする課題】
【０００５】  クレジットカード、キャッシュカード等のカード普及に伴い盗難、スキミング等の偽造カードの不正使用による詐欺被害が増大している。【０００６】  偽造クレジットカード等では、カードの磁気データ情報を読取り複製する装置が高精度化しており、偽造であることを見破ることが困難である。【０００７】  銀行預金においても同様にキャッシュカード、預金通帳等の紛失、盗難等による不正使用での預金の引出し詐欺被害が多発してる。【０００８】  盗難されたり紛失したクレジットカード及びキャッシュカードは、カードの所有者がそれに気ずかない場合、そのまま不正使用されてしまうことがある。【０００９】  インターネットのクレジットカード販売においても同様な不正使用の被害が多発しているのが現状である。【００１０】  クレジットカードにおいては、ＩＣカードの普及に伴いＩＣカードの偽造複製は非常に困難である。【００１１】  ＩＣクレジットカードでの物品購入等の場合、サインではなく暗証番号をクレジットカードの所有者が端末機に打ち込む方法がとられる。【００１２】  ＩＣクレジットカードの紛失、盗難等で暗証番号にて不正使用された場合基本的には保険対象外で自己責任とされている。【００１３】  クレジットカードで被害を受けた場合、例外を除き保険の対象となるが、銀行等の金融機関のキャッシュカード及び預金通帳で詐欺被害を受けた場合、銀行特約の壁があり保障対象外であり自己責任とされている。【００１４】  上記の如く、各種カードの普及に伴い、紛失、盗難、偽造等によるカードの不正使用での詐欺被害が増大している。
【課題を解決するための手段】
【００１５】  本発明は、上記のような不正使用による被害を自己管理することで未然に防止する、クレジットカード及びキャッシュカードの自己管理のためのメール自動送信通知システムである。【００１６】  現在クレジットカード使用時行われている手続きは、クレジットカードでの物品購入の際、契約販売店がクレジットカードを受取り端末機にて、クレジットカード会社に利用限度額の有無、紛失及び盗難の届け出での有無を照会をする。【００１７】  クレジットカード会社はコンピューター処理にて瞬時回答を出し、契約販売店に対し返信をする。【００１８】  クレジットカード利用可能の返信を受けた契約販売店は、販売物品の金額を端末機にて打ち込み、クレジットカード会社に販売売上を送信登録をする。【００１９】  本発明は、クレジットカード会社が契約販売店から要請された使用可否かの照会又は、販売売上の登録の着信と同時に、予めクレジットカード会社又は管理センターにメール自動送信通知の希望を登録してあるクレジットカードの所有者に対し、その購入物品等の内訳を携帯電話のメール又はパソコンのメールへ同時にメール自動送信通知することにより自己管理ができる、クレジットカード及びキャッシュカードの自己管理のためのメール自動送信通知システムである。【００２０】  メール自動送信通知の内容は、購入物品、金額、契約販売店名、所在地、電話番号、万一不正使用された場合の緊急連絡先電話番号等をメール自動送信通知する。【００２１】  着信を受けたクレジットカードの所有者は、その購入物品等の利用内容を確認知ることで自己管理ができ、不正使用を早期に発見し、不正使用による被害を未然に防ぐことができる、クレジットカード及びキャッシュカードの自己管理のためのメール自動送信通知システムである。【００２２】  又本発明は、クレジットカード会社が契約販売店から要請された使用可否かの照会又は、販売売上の登録の着信と同時に、予めクレジットカード会社又は管理センターにメール自動送信通知の希望を登録してあるクレジットカードの所有者に対し、その利用の内訳を携帯電話のメール又はパソコンのメールへ同時にメール自動送信通知し、受信したクレジットカードの所有者は、その物品購入の良否をクレジットカード会社又は管理センターにメール返信することでその取引を成立させる、それにより自己管理ができ、盗難、紛失、偽造等による不正使用かが判別できる、クレジットカード及びキャッシュカードの自己管理のためのメール自動送信通知システムに関するものである。【００２３】  クレジットカードでのキャッシングは、ほとんどの場合ＡＴＭ機で手続きを行う。【００２４】  キャッシング手続きをし、クレジットカード会社がそのクレジットカードの利用限度額の照会及び支払い手続きと同時に、予めクレジットカード会社又は管理センターにメール自動送信通知の希望を登録してあるクレジットカードの所有者に対し、その利用の内訳を携帯電話のメール又はパソコンのメールへ同時にメール自動送信通知をし、クレジットカードの所有者が自己管理できる、クレジットカード及びキャッシュカードの自己管理のためのメール自動送信通知システムである。【００２５】  メール自動送信通知の内容は、キャッシ��グ金額、利用ＡＴＭ機の所在地、万一不正使用された場合の緊急連絡先電話番号等をメール自動送信通知する。【００２６】  又本発明は、キャッシング手続きをし、クレジットカード会社がそのクレジットカードの利用限度額の照会及び支払い手続きと同時に、予めクレジットカード会社又は管理センターにメール自動送信通知の希望を登録してあるクレジットカードの所有者に対し、その利用の内訳を携帯電話のメール又はパソコンのメールへ同時にメール自動送信通知し、受信したクレジットカードの所有者は、キャッシングの良否をクレジットカード会社又は管理センターに返信することでその取引を成立させる、クレジットカード及びキャッシュカードの自己管理のためのメール自動送信通知システムである。【００２７】  現在銀行預金等の引出し又は振込みの際の手続きは、キャッシュカード及び預金通帳を使用し、銀行等の金融機関の窓口又はＡＴＭ機にて手続きをする。【００２８】  本発明は、銀行預金等の預金引出し又は振込みの手続きをし、銀行等の金融機関が残高確認等の照会をし、支払い又は振込みの手続きをすると同時に、予め銀行又は管理センターにメール自動送信通知の希望を登録してある預金者に対し、その利用の内容を携帯電話のメール又はパソコンのメールへ同時にメール自動送信通知をし、自己管理ができる、クレジットカード及びキャッシュカードの自己管理のためのメール自動送信通知システムである。【００２９】  メール自動送信通知の内容は、預金の引出し又は振込みの内容、利用された金融機関又はＡＴＭ機、支店名、所在地、電話番号、万一不正使用された場合の緊急連絡先電話番号等をメール自動送信通知する。【００３０】  又本発明は、銀行預金等の預金引出し又は振込みの手続きをし、銀行等の金融機関が残高確認等の照会をし、支払い又は振込みの手続きをすると同時に、予め銀行又は管理センターにメール自動送信通知の希望を登録してある預金者に対し、その利用の内容を携帯電話のメール又はパソコンのメールへ同時にメール自動送信通知し、受信した預金者はその利用の内容を確認し、良否を銀行等の金融機関又は管理センターに返信することでその取引を成立させる、クレジットカード及びキャッシュカードの自己管理のためのメール自動送信通知システムである。
【発明の効果】
【００３１】  上述したように本発明のクレジットカード及びキャッシュカードの自己管理のためのメール自動送信通知システムは、各種カードの普及に伴い多発するカードの紛失、盗難、偽造等による不正使用の犯罪を、カード使用と同時にカード所有者へメール自動送信通知し自己管理することで不正使用を未然に防止するものである。
【発明の実施するための最良の形態】
【００３２】  以下、本発明の実施の形態を図１〜図２に基づいて説明する。
【００３３】  クレジットカード所有者１が物品購入又はキャッシング５でカードを利用した際、使用の可否及び利用限度額の照会８又は、販売売上の登録１０と同時にクレジットカード利用の報告１２クレジットカード利用の報告１５又はクレジットカード利用の報告１４を、クレジットカード所有者１の携帯電話等のメールに送信する。
【００３４】  受信したクレジットカード所有者１は、利用内容の確認ができ、自己管理ができる。
【００３５】  又、受信したクレジットカード所有者１は、利用内容を確認し、メールにて利用確認の回答１６利用確認の回答１７利用確認の回答１３利用確認の回答１１をし、取引が成立する。
【００３６】  預金者１８が預金引出し又は振込みの手続き２２をし、預金残高照会２４と同時に預金払い出し又は、振込みの報告２７預金払い出し又は、振込みの報告２９預金払い出し又は、振込みの報告３０を預金者１８の携帯電話等のメールに送信する。
【００３７】  受信した預金者１８は、利用内容の確認ができ、自己管理ができる。
【００３８】  又、受信した預金者１８は、利用内容を確認し、メールにて現金払い出し又は、振込み確認の回答３１現金払い出し又は、振込み確認の回答３２現金払い出し又は、振込み確認の回答２８現金払い出し又は、振込み確認の回答２６をし、取引が成立する。
【図面の簡単な説明】
【００３９】
【図１】  本発明のメール自動送信通知システムの実施形態を示すフローチャート。
【図２】  本発明のメール自動送信通知システムの実施形態を示すフローチャート。
【符号の説明】
【００４０】  １  クレジットカード所有者。
２  契約販売店又は、ＡＴＭ機。
３  クレジットカード会社。
４  管理センター。
５  物品購入又はキャッシング。
６  クレジットカードで支払いのため提示。
７  署名又は、端末機に暗証番号打ち込み。
８  使用の可否及び利用限度額の照会。
９  符号８照会の回答。
１０  販売売上の登録。
１１  利用確認の回答。
１２  クレジットカード利用の報告。
１３  利用確認の回答。
１４  クレジットカード利用の報告。
１５  クレジットカード利用の報告。
１６  利用確認の回答。
１７  利用確認の回答。
１８  預金者。
１９  銀行等の金融機関の窓口又は、ＡＴＭ機。
２０  銀行等の金融機関。
２１  管理センター。
２２  預金引い出し又は、振込みの手続き。
２３  預金払い出し又は、振込みの受理。
２４  預金残高照会。
２５  符号２４照会の回答。
２６  預金払い出し又は、振込み確認の回答。
２７  預金払い出し又は、振込みの報告。
２８  預金払い出し又は、振込み確認の回答。
２９  預金払い出し又は、振込みの報告。
３０  預金払い出し又は、振込みの報告。
３１  預金払い出し又は、振込み確認の回答。
３２  預金払い出し又は、振込み確認の回答。
【図１】
2005339487.tif 000003
【図２】
2005339487.tif 000004